(57)【特許請求の範囲】
【請求項１】
前後に入力されるＮ個の指紋画像を合成して生成される指紋テンプレートを採取する場合、ｉ番目に入力される指紋画像を受信することと、
前記ｉ番目に入力される指紋画像と前に入力されたｉ−１個の指紋画像を合成して生成した画像である確定済みテンプレート画像との間の重なり領域を獲得することと、
前記重なり領域が、前記重なり領域の面積が指定面積の範囲外であるガイダンス条件を満たすかを判断することと、
前記重なり領域がガイダンス条件を満たす場合、第１ガイダンスメッセージを表示することと、
前記重なり領域がガイダンス条件を満たす場合、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定することと、
前記重なり領域の面積が前記指定面積の範囲における最大値より大きい場合、指定の方向を前記相対方向に確定することと、
前記重なり領域の面積が前記指定面積の範囲における最小値より小さい場合、前記指定の方向を前記相対方向の反対方向に確定することと、
を含み、
Ｎ≧ｉ≧２であり、Ｎおよびｉは整数であり、
前記第１ガイダンスメッセージは、指を前記指定の方向に移動させてｉ番目に入力された指紋画像を再入力することをガイダンスするのに用いられる
ことを特徴とする、指紋入力ガイダンス方法。
【請求項２】
前記重なり領域がガイダンス条件を満たすかを判断する前に、
前記確定済みテンプレート画像の面積を獲得することと、
前記確定済みテンプレート画像の面積に基づいて前記指定面積の範囲を確定することと、
をさらに含むことを特徴とする、請求項１に記載の方法。
【請求項３】
前記重なり領域がガイダンス条件を満たす場合、前記第１中心が、前記第２中心に対する距離である相対距離を確定することと、
前記相対距離に基づいて移動距離を確定することと、
前記第１ガイダンスメッセージを表示する時、前記移動距離を表示することと、
をさらに含むことを特徴とする、請求項１に記載の方法。
【請求項４】
前記重なり領域が前記ガイダンス条件を満たさない場合、前記ｉ番目に入力される指紋画像と前記前に入力されたｉ−１個の指紋画像とを合成して、新しい確定済みテンプレートを生成することをさらに含むことを特徴とする、請求項１に記載の方法。
【請求項５】
前後に入力されるＮ個の指紋画像を合成して生成される指紋テンプレートを採取する場合、ｉ番目に入力された指紋画像を受信する受信モジュールと、
前記ｉ番目に入力される指紋画像と前に入力されたｉ−１個の指紋画像を合成して生成した画像である確定済みテンプレート画像との間の重なり領域を獲得する第１獲得モジュールと、
前記重なり領域が、前記重なり領域の面積が指定面積の範囲外であるガイダンス条件を満たすかを判断する判断モジュールと、
前記重なり領域がガイダンス条件を満たす場合、第１ガイダンスメッセージを表示する第１表示モジュールと、
前記重なり領域がガイダンス条件を満たす場合、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定する第２確定モジュールと、
前記重なり領域の面積が指定面積の範囲における最大値より大きい場合、指定の方向を前記相対方向に確定する第３確定モジュールと、
前記重なり領域の面積が前記指定面積の範囲における最小値より小さい場合、前記指定の方向を前記相対方向の反対方向に確定する第４確定モジュールと、
を含み、
Ｎ≧ｉ≧２であり、Ｎおよびｉは整数であり、
前記第１ガイダンスメッセージは、指を前記指定の方向に移動させてｉ番目に入力された指紋画像を再入力することをガイダンスするのに用いられる
ことを特徴とする、指紋入力ガイダンス装置。
【請求項６】
前記重なり領域がガイダンス条件を満たすか判断する前に、前記確定済みテンプレート画像の面積を獲得する第２獲得モジュールと、
前記確定済みテンプレート画像の面積に基づいて前記指定面積の範囲を確定する第１確定モジュールと、
をさらに含むことを特徴とする、請求項５に記載の装置。
【請求項７】
前記重なり領域がガイダンス条件を満たす場合、前記第１中心が、前記第２中心に対する距離である相対距離を確定する第５確定モジュールと、
前記相対距離に基づいて移動距離を確定する第６確定モジュールと、
前記第１ガイダンスメッセージを表示する時、前記移動距離を表示する第２表示モジュールと、
をさらに含むことを特徴とする、請求項５に記載の装置。
【請求項８】
前記重なり領域が前記ガイダンス条件を満たさない場合、前記ｉ番目に入力される指紋画像と前記前に入力されたｉ−１個の指紋画像とを合成して新しい確定済みテンプレートを生成する合成モジュールをさらに含むことを特徴とする、請求項５に記載の装置。
【請求項９】
プロセッサと、
前記プロセッサで実行可能なコマンドを記憶するメモリと、
を含み、
前記プロセッサは、
前後に入力されるＮ個の指紋画像を合成して生成される指紋テンプレートを採取する場合、ｉ番目に入力される指紋画像を受信し、
前記ｉ番目に入力される指紋画像と前に入力されたｉ−１個の指紋画像を合成して生成した画像である確定済みテンプレート画像との間の重なり領域を獲得し、
前記重なり領域が、前記重なり領域の面積が指定面積の範囲外であるガイダンス条件を満たすかを判断し、
前記重なり領域がガイダンス条件を満たす場合、第１ガイダンスメッセージを表示し、
前記重なり領域がガイダンス条件を満たす場合、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定し、
前記重なり領域の面積が指定面積の範囲における最大値より大きい場合、指定の方向を前記相対方向に確定し、
前記重なり領域の面積が前記指定面積の範囲における最小値より小さい場合、前記指定の方向を前記相対方向の反対方向に確定するように構成され、
Ｎ≧ｉ≧２であり、Ｎおよびｉは整数であり、
前記第１ガイダンスメッセージは、指を前記指定の方向に移動させてｉ番目に入力された指紋画像を再入力することをガイダンスするのに用いられる
ことを特徴とする指紋入力ガイダンス装置。
【発明の詳細な説明】
【技術分野】
【０００１】
本願は、２０１６年６月１７日に出願された中国特許出願番号２０１６１０４４０４２５．３に基づいて提出され、当該中国特許出願の優先権を主張する。当該中国特許出願の全ての内容は、本明細書中に参考として援用される。
【０００２】
本発明は、パターン認識技術分野に関する。特に、指紋入力ガイダンス方法及び装置に関する。
【背景技術】
【０００３】
指紋認証技術の持続的な発展に伴い、より多くの端末装置が指紋認証機能を有することになった。ユーザーが指紋認証機能を有する端末装置を使用する時、まず指紋テンプレートを入力しなければならない。
【０００４】
端末装置のサイズに制限され、一般的に端末装置の指紋採取ユニットのサイズは比較的小さく、毎回ユーザーの完全な指紋の一部しか採取できず、認証の正確率を向上させるため、端末装置はユーザーの１つの指の指紋テンプレートを採取する場合、一般的に、端末装置が当該指における異なる各部位の指紋画像を採取できるまで、ユーザーに指紋採取ユニットを介して指紋画像を入力することを繰り返してガイダンスする。この過程において、ユーザーは、端末装置がどの部位の指紋画像を採取していないかわからない。
【発明の概要】
【課題を解決するための手段】
【０００５】
本発明の実施例は指紋入力ガイダンス方法及び装置を提供する。前記技術的解決手段は以下のとおりである。
【０００６】
本発明の実施例の第１様態によれば、
前後に入力されるＮ個の指紋画像を合成して生成される指紋テンプレートを採取する場合、ｉ番目に入力される指紋画像を受信することと（Ｎ≧ｉ≧２であり、Ｎおよびｉは整数である）、
前記ｉ番目に入力される指紋画像と前に入力されたｉ−１個の指紋画像を合成して生成した画像である確定済みテンプレート画像との間の重なり領域を獲得することと、
前記重なり領域がガイダンス条件を満たす場合、指を指定の方向に移動させてｉ番目に入力された指紋画像を再入力することをガイダンスするのに用いられる第１ガイダンスメッセージを表示することと、を含む指紋入力ガイダンス方法を提供する。
【０００７】
好ましくは、前記ガイダンス条件は、前記重なり領域の面積が指定面積の範囲外であることを含む。
【０００８】
好ましくは、前記方法は、
前記重なり領域がガイダンス条件を満たす場合、第１ガイダンスメッセージを表示する前に、前記確定済みテンプレート画像の面積を獲得することと、
前記確定済みテンプレート画像の面積に基づいて前記指定面積の範囲を確定することと、をさらに含む。
【０００９】
好ましくは、前記方法は、
前記重なり領域がガイダンス条件を満たす場合、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定することと、
前記重なり領域の面積が前記指定面積の範囲における最大値より大きい場合、前記指定の方向を前記相対方向に確定することと、
前記重なり領域の面積が前記指定面積の範囲における最小値より小さい場合、前記指定の方向を前記相対方向の反対方向に確定することと、
をさらに含む。
【００１０】
好ましくは、前記方法は、
前記重なり領域がガイダンス条件を満たす場合、前記ｉ番目に入力される指紋画像の幾何学的中心である前記第１中心が、前記ｉ番目に入力される指紋画像における前記重なり領域の幾何学的中心である前記第２中心に対する距離である相対距離を確定することと、
前記相対距離に基づいて移動距離を確定することと、
前記第１ガイダンスメッセージを表示する時、前記移動距離を表示することと、
をさらに含む。
【００１１】
好ましくは、前記方法は、
前記重なり領域が前記ガイダンス条件を満たさない場合、前記ｉ番目に入力される指紋画像と前記前に入力されたｉ−１個の指紋画像とを合成して新しい確定済みテンプレートを生成することをさらに含む。
【００１２】
本発明の実施例の第２様態によれば、
前後に入力されるＮ個の指紋画像を合成して生成される指紋テンプレートを採取する場合、ｉ番目に入力される指紋画像を受信する受信モジュールと（Ｎ≧ｉ≧２であり、Ｎおよびｉは整数である）、
ｉ番目に入力される指紋画像と前に入力されたｉ−１個の指紋画像を合成して生成した画像である確定済みテンプレート画像との間の重なり領域を獲得する第１獲得モジュールと、
前記重なり領域がガイダンス条件を満たす場合、指を指定の方向に移動させてｉ番目に入力された指紋画像を再入力することをガイダンスするのに用いられる第１ガイダンスメッセージを表示する第１表示モジュールと、
を含む指紋入力ガイダンス装置を提供する。
【００１３】
好ましくは、前記ガイダンス条件は、前記重なり領域の面積が指定面積の範囲外であることを含む。
【００１４】
好ましくは、前記装置は、
前記重なり領域がガイダンス条件を満たす場合、第１ガイダンスメッセージを表示する前に、前記確定済みテンプレート画像の面積を獲得する第２獲得モジュールと、
前記確定済みテンプレート画像の面積に基づいて前記指定面積の範囲を確定する第１確定モジュールと、
をさらに含む。
【００１５】
好ましくは、前記装置は、
前記重なり領域がガイダンス条件を満たす場合、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定する第２確定モジュールと、
前記重なり領域の面積が前記指定面積の範囲における最大値より大きい場合、前記指定の方向を前記相対方向に確定する第３確定モジュールと、
前記重なり領域の面積が前記指定面積の範囲における最小値より小さい場合、前記指定の方向を前記相対方向の反対方向に確定する第４確定モジュールと、
をさらに含む。
【００１６】
好ましくは、前記装置は、
前記重なり領域がガイダンス条件を満たす場合、前記ｉ番目に入力される指紋画像の幾何学的中心である前記第１中心が、前記ｉ番目に入力される指紋画像における前記重なり領域の幾何学的中心である前記第２中心に対する距離である相対距離を確定する第５確定モジュールと、
前記相対距離に基づいて移動距離を確定する第６確定モジュールと、
前記第１ガイダンスメッセージを表示する時、前記移動距離を表示する第２表示モジュールと、
をさらに含む。
【００１７】
好ましくは、前記装置は、前記重なり領域が前記ガイダンス条件を満たさない場合、前記ｉ番目に入力される指紋画像と前記前に入力されたｉ−１個の指紋画像とを合成して新しい確定済みテンプレート画像を生成する合成モジュールをさらに含む。
【００１８】
本発明の実施例の第３様態によれば、
プロセッサと、
前記プロセッサで実行可能なコマンドを記憶するメモリと、
を含む指紋入力ガイダンス装置を提供し、
前記プロセッサは、
前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、
ｉ番目に入力される指紋画像と前に入力されたｉ−１個の指紋画像を合成して生成した画像である確定済みテンプレート画像との間の重なり領域を獲得し、
前記重なり領域がガイダンス条件を満たす場合、指を指定の方向に移動させてｉ番目に入力された指紋画像を再入力することをガイダンスするのに用いられる第１ガイダンスメッセージを表示するように構成される。
【発明の効果】
【００１９】
本発明の実施例により提供される技術的解決手段は、以下のような好適な効果が期待できる。
【００２０】
前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、ｉ番目に入力される指紋画像と前に入力されたｉ−１個の指紋画像を合成して生成した画像である確定済みテンプレート画像との間の重なり領域を獲得し、前記重なり領域がガイダンス条件を満たす場合、指を指定の方向に移動させてｉ番目に入力される指紋画像を再入力することをガイダンスするのに用いられる第１ガイダンスメッセージを表示することによって、ユーザーの指紋テンプレートを採取する場合、ユーザーに指を移動させるガイダンスメッセージを明確にすることができ、ユーザーが指を移動して端末装置によりまだ採取されていない部位の指紋を入力する効率を向上させる。
【００２１】
以上の一般的な説明と後述の詳細な説明は、例示的且つ解釈的なものに過ぎず、本発明を限定するものではないことを理解すべきである。
【図面の簡単な説明】
【００２２】
添付の図面は、明細書に組み入れられて、本明細書の一部を構成し、本発明に適合する実施例を示し、明細書と共に本発明の原理を解釈するのに用いられる。
【図１】一例示的な実施例による指紋入力ガイダンス方法のフローチャートである。
【図２】一例示的な実施例による指紋入力ガイダンス方法のフローチャートである。
【図３】一例示的な実施例による指紋入力ガイダンス方法のフローチャートである。
【図４】図３に示された実施例に基づく相対距離を示す図である。
【図５】一例示的な実施例による指紋入力ガイダンス装置のブロック図である。
【図６】一例示的な実施例による指紋入力ガイダンス装置のブロック図である。
【図７】一例示的な実施例による装置のブロック図である。
【００２３】
上記図面を利用して、本発明の明らかな実施例を示したが、以下により詳しく説明する。これらの図面及び文言による説明は如何なる形式で本発明の構想の範囲を限定するためのものではなく、特定の実施例を参照しながら当業者に本発明の概念を説明するためのものである。
【発明を実施するための形態】
【００２４】
ここでは、例示的な実施例について、その実例を図面に示して詳しく説明する。以下の説明が図面に関わる場合、特別な説明がない限り、異なる図面における同じ符号は、同一又は類似した要素を示している。以下の例示的な実施例に記載された実施形態は、本発明と一致する全ての実施形態を代表するわけではない。反対に、それらは添付の特許請求の範囲に記載された本発明の一部の態様と一致する装置および方法の例に過ぎない。
【００２５】
図１は、一例示的な実施例による指紋入力ガイダンス方法のフローチャートであり、当該指紋入力ガイダンス方法は指紋入力ガイダンス機能を有する端末装置に用いることができ、例えば、当該端末装置は、スマートフォン、タブレットパソコン、電子書籍リーダー、ウエアラブル機器などであってもよい。当該指紋入力ガイダンス方法は、以下のような複数のステップを含むことができる。
【００２６】
ステップ１０１において、前後に入力されるＮ個の指紋画像を合成して生成される指紋テンプレートを採取する場合、ｉ番目に入力される指紋画像を受信する（Ｎ≧ｉ≧２であり、Ｎおよびｉは整数である）。
【００２７】
ステップ１０２において、当該ｉ番目に入力される指紋画像と前に入力されたｉ−１個の指紋画像を合成して生成した画像である確定済みテンプレート画像との間の重なり領域を獲得する。
【００２８】
ステップ１０３において、当該重なり領域がガイダンス条件を満たす場合、指を指定の方向に移動させてｉ番目に入力される指紋画像を再入力することをガイダンスするのに用いられる第１ガイダンスメッセージを表示する。
【００２９】
要するに、本発明の実施例により提供される指紋入力ガイダンス方法は、前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、当該ｉ番目に入力される指紋画像と前に入力されたｉ−１個の指紋画像を合成して生成した画像である確定済みテンプレート画像との間の重なり領域を獲得し、当該重なり領域がガイダンス条件を満たす場合、指を指定の方向に移動させてｉ番目に入力される指紋画像を再入力することをガイダンスするのに用いられる第１ガイダンスメッセージを表示することによって、ユーザーの指紋テンプレートを採取する時、ユーザーに指を移動させるガイダンスメッセージを明確にすることができ、ユーザーが指を移動して端末装置によりまだ採取されていない部位の指紋を入力する効率を向上させる。
【００３０】
図２は、一例示的な実施例による指紋入力ガイダンス方法のフローチャートであり、当該指紋入力ガイダンス方法は指紋入力ガイダンス機能を有する端末装置に用いることができ、例えば、当該端末装置は、スマートフォン、タブレットパソコン、電子書籍リーダー、ウエアラブル機器などであってもよい。当該指紋入力ガイダンス方法は以下のような複数のステップを含むことができる。
【００３１】
ステップ２０１において、前後に入力されるＮ個の指紋画像を合成して生成される指紋テンプレートを採取する場合、ｉ番目に入力される指紋画像を受信する（Ｎ≧ｉ≧２であり、Ｎおよびｉは整数である）。
【００３２】
端末装置はユーザーの指紋テンプレートを採取する時、複数回に渡って前後に入力された指紋画像を採取し、複数回に渡って前後に入力された指紋画像を指紋テンプレートに合成しなければならない。端末装置が前後に入力されるＮ個の指紋画像を合成して生成される指紋テンプレートを採取する場合、端末装置はそのうちのｉ番目に入力された指紋画像を受信する。ｉは、１番目に入力された指紋画像以外のその他のいずれかの指紋画像を示す。
【００３３】
ステップ２０２において、当該ｉ番目に入力される指紋画像と前に入力されたｉ−１個の指紋画像を合成して生成した画像である確定済みテンプレート画像との間の重なり領域を獲得する。
【００３４】
端末装置はｉ番目に入力された指紋画像を獲得した後、当該ｉ番目に入力された指紋画像と確定済みテンプレート画像に対して画像認識を行い、当該両者の画像で同じ部分を重なり領域とし、即ち、当該重なり領域は、ｉ番目に入力された指紋画像と確定済みテンプレート画像に対して画像認識を行った後、同じ画像部分である。
【００３５】
そのうち、画像認識方法はＳＩＦＴ（Ｓｃａｌｅ  Ｉｎｖａｒｉａｎｔ  Ｆｅａｔｕｒｅ  Ｔｒａｎｓｆｏｒｍ）特徴抽出方法又は画像のエッジ（ｉｍａｇｅ  ｅｄｇｅ）抽出方法などであってもよい。
【００３６】
ステップ２０３において、当該重なり領域が、重なり領域の面積が指定面積の範囲外であるガイダンス条件を満たすか否かを判断し、満たす場合、ステップ２０４へ進み、そうでなければ、ステップ２０８へ進む。
【００３７】
当該ガイダンス条件はユーザーが入力した指紋が指紋テンプレートに必要な情報量を満たさない場合、当該ｉ番目に入力された指紋画像を無効と選択し、ユーザーに指紋を再入力することをガイダンスするのに用いられる。そのうち、前記ガイダンス条件は、重なり領域の面積が指定面積の範囲外であることであってもよい。
【００３８】
本発明の実施例において、上記指定面積の範囲は固定の面積範囲であってもよく、端末装置が指紋テンプレートの現在の採取進捗に基づいてリアルタイムに確定した面積範囲であってもよい。端末装置がリアルタイムに指定面積の範囲を確定する方式は以下のとおりである。
【００３９】
１）端末装置が確定済みテンプレート画像の面積を獲得する。
【００４０】
画像の面積は画像の２次元平面における物理的なサイズの大きさを指す。本発明の実施例において、当該確定済みテンプレート画像の面積は画像認識分析の方法によって獲得することができる。例えば、確定済みテンプレート画像を事前に設定した複数の固定サイズの座標グリッド（例えば、各座標グリッドの面積は１ｍｍ＊１ｍｍである）を含む座標平面内に置き、その後、端末装置により確定済みテンプレート画像が置いてある座標平面に対して画像認識を行い、認識結果に基づいて当該確定済みテンプレート画像により被覆された座標グリッドの個数を統計し、統計により得られた座標グリッドの数に基づいて確定済みテンプレート画像の面積を得る。
【００４１】
また、端末装置における指紋採取パネルのサイズは一般的に既知のものであり、即ち、端末装置が毎回採取した指紋画像の面積も既知のものであり（指紋採取パネルのサイズと同じである）、確定済みテンプレート画像は採取に成功した指紋画像を合成して獲得したものであるため、端末装置は毎回採取した指紋画像の面積に基づいて確定済みテンプレート画像の面積を算出することができる。
【００４２】
２）当該確定済みテンプレート画像の面積に基づいて当該指定面積の範囲を確定する。
【００４３】
端末装置が採取した有効指紋数の増加に伴い、当該確定済みテンプレート画像の面積も大きくなる。指定面積の範囲は当該確定済みテンプレート画像の面積によって異なり、各確定済みテンプレート画像に対応する指定面積の範囲は固定の範囲である。好ましくは、当該指定面積の範囲は当該確定済みテンプレート画像の面積と正の相関関係を有することができる。
【００４４】
ステップ２０４において、当該ｉ番目に入力された指紋画像の幾何学的中心である第１中心が、当該ｉ番目に入力された指紋画像における当該重なり領域の幾何学的中心である第２中心に対する方向である相対方向を確定する。
【００４５】
本発明の実施例において、端末装置は、ｉ番目に入力された指紋画像及び当該指紋画像における上記の重なり領域の相対位置を分析することによって相対方向を確定することができる。
【００４６】
好ましくは、確定された相対方向は、１つの方向範囲類型の指示であってもよい。例えば、方向を上と下、左と右のような２つに分ける指示、方向を上、下、左及び右のような４つに分ける指示、方向を真上、左上、右上、真下、左下、右下、左及び右のような８つに分ける指示であってもよい。
【００４７】
又は、確定された相対方向は明確な方向であってもよい。方向のパラメータは角度であってもよく、角度の単位は度、分、秒又は弧度であってもよい。例えば、真下から右へ３０°傾く。
【００４８】
ステップ２０５において、当該重なり領域の面積が当該指定面積の範囲における最大値より大きい場合、指定の方向を当該相対方向に確定する。
【００４９】
当該重なり領域の面積が当該指定面積の範囲における最大値より大きい場合、ｉ番目に入力された指紋画像と確定済みテンプレート画像において同じである領域の面積が大きすぎる。直観的には、当該ｉ番目に入力された指紋画像と確定済みテンプレート画像との重なり部分が多すぎると見なすことができ、相対方向は、当該第１中心が当該第２中心に対する方向である。指が当該相対方向に沿って移動すると、指と確定済みテンプレート画像との同じ領域を減少させ、テンプレート画像のために、より多くの当該指においてまだ入力されていない部位の指紋情報を提供する。
【００５０】
ステップ２０６において、当該重なり領域の面積が当該指定面積の範囲における最小値より小さい場合、指定の方向を当該相対方向の反対方向に確定する。
【００５１】
当該重なり領域の面積が当該指定面積の範囲における最小値より小さい場合、ｉ番目に入力された指紋画像と確定済みテンプレート画像において同じである領域の面積が小さすぎる。直観的には、当該ｉ番目に入力された指紋画像と確定済みテンプレート画像との重なり部分が少なすぎると見なすことができ、相対方向は当該第１中心が当該第２中心に対する反対方向である。指が当該相対方向に沿って移動すると、指と確定済みテンプレート画像との同じ領域を増加させ、テンプレート画像のために、より多くの当該指と確定済みテンプレート画像との重なり領域を提供することで、当該重なり領域が当該指定面積の範囲まで増加するようにする。
【００５２】
ステップ２０７において、指を指定の方向に移動させてｉ番目に入力された指紋画像を再入力することをガイダンスするのに用いられる第１ガイダンスメッセージを表示する。
【００５３】
ステップ２０８において、当該ｉ番目に入力された指紋画像と当該前に入力されたｉ−１個の指紋画像を合成して新しい確定済みテンプレート画像を生成する。
【００５４】
当該重なり領域がガイダンス条件を満たさない場合、当該ｉ番目に入力された指紋画像が、当該前に入力されたｉ−１個の指紋画像と合成される条件に合致することを説明するため、端末装置は、ｉ番目に入力された指紋画像と前に入力されたｉ−１個の指紋画像、又は、上記の確定済みテンプレート画像とを合成して新しい確定済みテンプレート画像を生成し、元の確定済み画像テンプレートを削除して、新しい確定済みテンプレート画像のみを残す。
【００５５】
新しい確定済みテンプレート画像を獲得した後、端末装置は、ｉとＮの大小関係をさらに検出することができる。ｉ＝Ｎの場合、当該新しい確定済みテンプレート画像は最終に採取された指紋テンプレートである。
【００５６】
要するに、本発明の実施例により提供される指紋入力ガイダンス方法は、前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、当該ｉ番目に入力された指紋画像と前に入力されたｉ−１個の指紋画像を合成して生成した画像である確定済みテンプレート画像との間の重なり領域を獲得し、当該重なり領域の面積が指定面積の範囲外である場合、当該重なり領域がガイダンス条件を満たすか否かを判断し、当該重なり領域がガイダンス条件を満たすと、当該確定済みテンプレート画像の面積を獲得し、当該確定済みテンプレート画像の面積に基づいて当該指定面積の範囲を確定し、相対方向を確定し、当該重なり領域の面積が当該指定面積の範囲における最大値より大きい場合、当該指定の方向を当該相対方向に確定し、当該重なり領域の面積が当該指定面積の範囲における最小値より小さい場合、当該指定の方向を当該相対方向の反対方向に確定し、当該第１ガイダンスメッセージを表示し、当該重なり領域が当該ガイダンス条件を満たさない場合、当該ｉ番目に入力された指紋画像と前に入力されたｉ−１個の指紋画像を合成して新しい確定済みテンプレート画像を生成することで、ユーザーの指紋テンプレートを採取する場合、ユーザーに指を移動させるガイダンスメッセージを明確にすることができ、ユーザーが指を移動して端末装置によりまだ採取されていない部位の指紋を入力する効率を向上させる。
【００５７】
図３は、一例示的な実施例による指紋入力ガイダンス方法のフローチャートであり、当該指紋入力ガイダンス方法は指紋入力ガイダンス機能を有する端末装置に用いることができる。例えば、当該端末装置は、スマートフォン、タブレットパソコン、電子書籍リーダー、ウエアラブル機器などであってもよい。当該指紋入力ガイダンス方法は以下のような複数のステップを含むことができる。
【００５８】
ステップ３０１において、前後に入力されるＮ個の指紋画像を合成して生成される指紋テンプレートを採取する場合、ｉ番目に入力される指紋画像を受信する（Ｎ≧ｉ≧３であり、Ｎおよびｉは整数である）。
【００５９】
ステップ３０２において、当該ｉ番目に入力された指紋画像と前に入力されたｉ−１個の指紋画像を合成して生成した画像である確定済みテンプレート画像との間の重なり領域を獲得する。
【００６０】
ステップ３０３において、当該重なり領域が、重なり領域の面積が指定面積の範囲外であるガイダンス条件を満たすか否かを判断し、満たすと、ステップ３０４へ進み、そうでなければ、ステップ３１０へ進む。
【００６１】
ステップ３０４において、当該ｉ番目に入力された指紋画像の幾何学的中心である第１中心が、当該ｉ番目に入力される指紋画像における当該重なり領域の幾何学的中心である第２中心に対する方向である相対方向を確定する。
【００６２】
ステップ３０５において、当該重なり領域の面積が指定面積の範囲における最大値より大きい場合、指定の方向を当該相対方向に確定する。
【００６３】
ステップ３０６において、当該重なり領域の面積が指定面積の範囲における最小値より小さい場合、指定の方向を当該相対方向の反対方向に確定する。
【００６４】
上記ステップ３０１からステップ３０６までの具体的な実行過程は、図２の対応する実施例におけるステップ２０１からステップ２０６までの説明を参照することができ、ここで詳細な説明を省略する。
【００６５】
ステップ３０７において、当該ｉ番目に入力された指紋画像の幾何学的中心である第１中心が、当該ｉ番目に入力された指紋画像における当該重なり領域の幾何学的中心である第２中心に対する距離である相対距離を確定する。
【００６６】
相対距離を確定する時、まず第１中心及び第２中心のそれぞれの位置を確定し、その後、画像認識で当該第１中心及び当該第２中心の間の相対距離を得る。当該相対距離がステップ３０９における確定された相対距離である。
【００６７】
ステップ３０８において、当該相対距離に基づいて移動距離を確定する。
【００６８】
実際の応用において、当該移動距離は相対距離と正の相関関係を有する。確定された相対距離は単位付きの正確な距離であってもよく、１つの参照対象に対する相対距離であってもよい。
【００６９】
確定された相対距離が単位付きの正確な距離である場合、指のサイズが所在する単位のレベルを考えて、正確な距離の単位としてミリメートル又はセンチメートルを選択することができる。正確な距離の単位はナノメートル、デシメートル又はメートルなどを選択してもよい。
【００７０】
確定された相対距離が１つの参照対象に対する相対距離である場合、当該参照対象はユーザーの指であってもよい。例えば、ユーザーに１／２の指の距離、１／３の指の距離、又は１／４の指の距離などを移動するようにガイダンスする。参照対象は図に示された参照スケールであってもよく、当該参照スケールは実際の距離を明記しなくてもよく、線分で実際に必要な移動距離を表示すればよい。
【００７１】
図４を参照すると、図４は図３に示された実施例に基づく相対距離を示す図であり、当該図４は端末装置のスクリーンに表示される。採取領域４０は指紋採取ユニットの有効作業面積を表示するのに用いられ、ガイダンス情報４１はユーザーに移動する方向及び距離をガイダンスするのに用いられ、正確な距離を表示してもよく、指を参照して移動する距離を表示してもよい。参照スケールはユーザーに１つの参照単位の長さをガイダンスするのに用いられ、この時、ガイダンス情報４１はユーザーにいくつの当該参照単位を移動するかをガイダンスするのに用いられる。好ましくは、図４は移動指示線分４３をさらに表示すると同時に、ガイダンス情報４１によってユーザーに移動指示線分４３に沿って指を移動することをガイダンスすることができる。ユーザーは、直接、当該移動指示線分４３が示す長さ及び方向によって指を移動する。
【００７２】
なお、上記ステップ３０７及びステップ３０８は、ステップ３０４〜ステップ３０６と同期して実行してもよく、又は、上記ステップ３０７及びステップ３０８は、ステップ３０４〜ステップ３０６の前に実行してもよい。これに対して、本発明の実施例は、ステップ３０７及びステップ３０８とステップ３０４〜ステップ３０６との実行順番に対して限定しない。
【００７３】
ステップ３０９において、指を指定の方向に移動させてｉ番目に入力される指紋画像を再入力することをガイダンスするのに用いられる第１ガイダンスメッセージ及び当該移動距離を表示する。
【００７４】
ステップ３１０において、当該ｉ番目に入力された指紋画像と当該前に入力されたｉ−１個の指紋画像とを合成して新しい確定済みテンプレート画像を生成する。
【００７５】
要するに、本発明の実施例により提供される指紋入力ガイダンス方法は、前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、当該ｉ番目に入力された指紋画像と前に入力されたｉ−１個の指紋画像を合成して生成した画像である確定済みテンプレート画像との間の重なり領域を獲得し、当該重なり領域の面積が指定面積の範囲外である場合、当該重なり領域がガイダンス条件を満たすか否かを判断し、当該重なり領域がガイダンス条件を満たすと、当該確定済みテンプレート画像の面積を獲得し、当該確定済みテンプレート画像の面積に基づいて当該指定面積の範囲を確定し、相対方向を確定し、当該重なり領域の面積が当該指定の面積の範囲における最大値より大きい場合、当該指定の方向を当該相対方向に確定し、当該重なり領域の面積が当該指定面積の範囲における最小値より小さい場合、当該指定の方向を当該相対方向の反対方向に確定し、相対距離を確定し、当該相対距離に基づいて移動距離を確定し、当該第１ガイダンスメッセージを表示する時、当該移動距離を表示し、当該重なり領域が当該ガイダンス条件を満たさない場合、当該ｉ番目に入力された指紋画像と当該前に入力されたｉ−１個の指紋画像を合成して新しい確定済みテンプレート画像を生成する。ことにより、ユーザーの指紋テンプレートを採取する時、ユーザーに指を移動させるガイダンスメッセージを明確にすることができ、ユーザーが指を移動して端末装置によってまだ採取されていない部位の指紋を入力する効率を向上させる。
【００７６】
以下は本発明に係わる装置の実施例であり、本発明に係る方法の実施例を実行するのに用いることができる。本発明に係わる装置の実施例に開示されていない詳細については、本発明にかかる方法の実施例を参照することができる。
【００７７】
図５は一例示的な実施例による指紋入力ガイダンス装置のブロック図である。当該指紋入力ガイダンス装置は、ソフトウェア、ハードウェア又は両者の組み合わせによって、指紋入力ガイダンス機能を有する端末装置の一部または全部に実現されることができる。例えば、当該端末装置は、スマートフォン、タブレットパソコン、電子書籍リーダー、ウエアラブル機器などであってもよい。当該指紋入力ガイダンス装置は、受信モジュール５０１、第１獲得モジュール５０２及び第１表示モジュール５０３を含むことができる。
【００７８】
受信モジュール５０１は、前後に入力されるＮ個の指紋画像を合成して生成される指紋テンプレートを採取する場合、ｉ番目に入力される指紋画像を受信するように構成される（Ｎ≧ｉ≧２であり、Ｎおよびｉは整数である）。
【００７９】
第１獲得モジュール５０２は、当該ｉ番目に入力された指紋画像と前に入力されたｉ−１個の指紋画像を合成して生成した画像である確定済みテンプレート画像との間の重なり領域を獲得するように構成される。
【００８０】
第１表示モジュール５０３は、当該重なり領域がガイダンス条件を満たす場合、指を指定の方向に移動させてｉ番目に入力される指紋画像を再入力することをガイダンスするのに用いられる第１ガイダンスメッセージを表示するように構成される。
【００８１】
要するに、本発明の実施例により提供される指紋入力ガイダンス装置は、前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、当該ｉ番目に入力された指紋画像と前に入力されたｉ−１個の指紋画像を合成して生成した画像である確定済みテンプレート画像との間の重なり領域を獲得し、当該重なり領域がガイダンス条件を満たす場合、指を指定の方向に移動させてｉ番目に入力される指紋画像を再入力することをガイダンスするのに用いられる第１ガイダンスメッセージを表示するによって、ユーザーの指紋テンプレートを採取する時、ユーザーに指を移動させるガイダンスメッセージを明確にすることができ、ユーザーが指を移動して端末装置によりまだ採取されていない部位の指紋を入力する効率を向上させる。
【００８２】
図６は、一例示的な実施例による指紋入力ガイダンス装置のブロック図である。当該指紋入力ガイダンス装置は、ソフトウェア、ハードウェア又は両者の組み合わせによって、指紋入力ガイダンス機能を有する端末装置の一部又は全部に実現されることができる。例えば、当該端末装置は、スマートフォン、タブレットパソコン、電子書籍リーダー、ウエアラブル機器などであってもよい。当該指紋入力ガイダンス装置は、受信モジュール６０１、第１獲得モジュール６０２及び第１表示モジュール６０３を含むことができる。
【００８３】
受信モジュール６０１は、前後に入力されるＮ個の指紋画像を合成して生成される指紋テンプレートを採取する場合、ｉ番目に入力される指紋画像を受信するように構成される（Ｎ≧ｉ≧２であり、Ｎおよびｉは整数である）。
【００８４】
第１獲得モジュール６０２は、当該ｉ番目に入力された指紋画像と前に入力されたｉ−１個の指紋画像とを合成して生成した画像である確定済みテンプレート画像との間の重なり領域を獲得するように構成される。
【００８５】
第１表示モジュール６０３は、当該重なり領域がガイダンス条件を満たす場合、指を指定の方向に移動させてｉ番目に入力された指紋画像を再入力することをガイダンスするのに用いられる第１ガイダンスメッセージを表示するように構成される。
【００８６】
好ましくは、当該装置において、当該ガイダンス条件は、当該重なり領域の面積が指定面積の範囲外であることを含む。
【００８７】
好ましくは、当該装置は、第２獲得モジュール６０４及び第１確定モジュール６０５をさらに含む。
【００８８】
第２獲得モジュール６０４は、当該重なり領域がガイダンス条件を満たすと、第１表示モジュール６０３が第１ガイダンスメッセージを表示する前に、当該確定済みテンプレート画像の面積を獲得するように構成される。
【００８９】
第１確定モジュール６０５は、当該確定済みテンプレート画像の面積に基づいて当該指定面積の範囲を確定するように構成される。
【００９０】
好ましくは、当該装置は、第２確定モジュール６０６、第３確定モジュール６０７及び第４確定モジュール６０８をさらに含む。
【００９１】
第２確定モジュール６０６は、当該重なり領域がガイダンス条件を満たすと、第１表示モジュール６０３が第１ガイダンスメッセージを表示する前に、当該ｉ番目に入力された指紋画像の幾何学的中心である第１中心が、当該ｉ番目に入力された指紋画像における当該重なり領域の幾何学的中心である第２中心に対する方向である相対方向を確定するように構成される。
【００９２】
第３確定モジュール６０７は、当該重なり領域の面積が当該指定面積の範囲における最大値より大きい場合、当該指定の方向を当該相対方向に確定するように構成される。
【００９３】
第４確定モジュール６０８は、当該重なり領域の面積が当該指定面積の範囲における最小値より小さい場合、当該指定の方向を当該相対方向の反対方向に確定するように構成される。
【００９４】
好ましくは、当該装置は、第５確定モジュール６０９、第６確定モジュール６１０及び第２表示モジュール６１１をさらに含む。
【００９５】
第５確定モジュール６０９は、当該重なり領域がガイダンス条件を満たすと、当該ｉ番目に入力された指紋画像の幾何学的中心である当該第１中心が、当該ｉ番目に入力される指紋画像における当該重なり領域の幾何学的中心である当該第２中心に対する距離である相対距離を確定するように構成される。
【００９６】
第６確定モジュール６１０は、当該相対距離に基づいて移動距離を確定するように構成される。
【００９７】
第２表示モジュール６１１は、当該第１ガイダンスメッセージを表示する時、当該移動距離を表示するように構成される。
【００９８】
好ましくは、当該装置は合成モジュール６１２をさらに含む。
【００９９】
合成モジュール６１２は、当該重なり領域が当該ガイダンス条件を満たさない場合、当該ｉ番目に入力された指紋画像と当該前に入力されたｉ−１個の指紋画像とを合成して新しい確定済みテンプレート画像を生成するように構成される。
【０１００】
要するに、本発明の実施例により提供される指紋入力ガイダンス装置は、前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、ｉ番目に入力された指紋画像と前に入力されたｉ−１個の指紋画像を合成して生成した画像である確定済みテンプレート画像との間の重なり領域を獲得し、当該重なり領域の面積が指定面積の範囲外である場合、当該重なり領域がガイダンス条件を満たすか否かを判断し、当該重なり領域がガイダンス条件を満たすと、確定済みテンプレート画像の面積を獲得し、当該確定済みテンプレート画像の面積に基づいて当該指定面積の範囲を確定し、相対方向を確定し、当該重なり領域の面積が当該指定面積の範囲における最大値より大きい場合、当該指定の方向を当該相対方向に確定し、当該重なり領域の面積が当該指定面積の範囲における最小値より小さい場合、当該指定の方向を当該相対方向の反対方向に確定し、相対距離を確定し、当該相対距離に基づいて移動距離を確定し、当該第１ガイダンスメッセージを表示する時、当該移動距離を表示し、当該重なり領域が当該ガイダンス条件を満たさない場合、当該ｉ番目に入力された指紋画像と当該前に入力されたｉ−１個の指紋画像を合成して新しい確定済みテンプレート画像を生成することによって、ユーザーの指紋テンプレートを採取する時、ユーザーに指を移動させるガイダンスメッセージを明確にすることができ、ユーザーが指を移動して端末装置によりまだ採取されていない部位の指紋を入力する効率を向上させる。
【０１０１】
本発明の一例示的な実施例は、さらに本発明の上記実施例により提供される指紋入力ガイダンス方法を実現可能な指紋入力ガイダンス装置を提供する。当該装置は、プロセッサ及びプロセッサの実行可能なコマンドを記憶するメモリを含む。
【０１０２】
そのうち、プロセッサは、
前後に入力されるＮ個の指紋画像を合成して生成される指紋テンプレートを採取する場合、ｉ番目に入力される指紋画像を受信し（Ｎ≧ｉ≧２であり、Ｎおよびｉは整数である）、
前記ｉ番目に入力された指紋画像と前に入力されたｉ−１個の指紋画像を合成して生成した画像である確定済みテンプレート画像との間の重なり領域を獲得し、
前記重なり領域がガイダンス条件を満たす場合、指を指定の方向に移動させてｉ番目に入力される指紋画像を再入力することをガイダンスするのに用いられる第１ガイダンスメッセージを表示するように構成される。
【０１０３】
好ましくは、前記ガイダンス条件は、前記重なり領域の面積が指定面積の範囲外であることを含む。
【０１０４】
好ましくは、前記方法は、
前記重なり領域がガイダンス条件を満たすと、第１ガイダンスメッセージを表示する前に、前記確定済みテンプレート画像の面積を獲得することと、
前記確定済みテンプレート画像の面積に基づいて前記指定面積の範囲を確定することと、
をさらに含む。
【０１０５】
好ましくは、前記方法は、
前記重なり領域がガイダンス条件を満たすと、第１ガイダンスメッセージを表示する前に、前記ｉ番目に入力される指紋画像の幾何学的中心である第１中心が、前記ｉ番目に入力される指紋画像における前記重なり領域の幾何学的中心である第２中心に対する方向である相対方向を確定することと、
前記重なり領域の面積が前記指定面積の範囲における最大値より大きい場合、前記指定の方向を前記相対方向に確定することと、
前記重なり領域の面積が前記指定面積の範囲における最小値より小さい場合、前記指定の方向を前記相対方向の反対方向に確定することと、
をさらに含む。
【０１０６】
好ましくは、前記方法は、
前記重なり領域がガイダンス条件を満たすと、前記ｉ番目に入力される指紋画像の幾何学的中心である前記第１中心が、前記ｉ番目に入力される指紋画像における前記重なり領域の幾何学的中心である前記第２中心に対する距離である相対距離を確定することと、
前記相対距離に基づいて移動距離を確定することと、
前記第１ガイダンスメッセージを表示する時、前記移動距離を表示することと、
をさらに含む。
【０１０７】
好ましくは、前記方法は、
前記重なり領域が前記ガイダンス条件を満たさない場合、前記ｉ番目に入力された指紋画像と前に入力されたｉ−１個の指紋画像を合成して新しい確定済みテンプレートを生成することをさらに含む。
【０１０８】
上記実施例における装置について、各モジュールの操作を実行する具体的な形態は、すでに当該方法に関する実施例において詳しく説明さしたので、ここで詳細な説明を省略する。
【０１０９】
図７は、一例示的な実施例による装置７００のブロック図である。例えば、装置７００は、携帯電話、コンピュータ、デジタル放送端末、メッセージ送受信装置、ゲームコンソール、タブレット型装置、医療機器、運動器具、個人用デジタル補助装置などであってもよい。
【０１１０】
図７を参照すると、装置７００は、処理部７０２、メモリ７０４、電源部７０６、マルチメディア部７０８、オーディオ部７１０、入力／出力（Ｉ／Ｏ）のインターフェース７１２、センサ部７１４及び通信部７１６のうちの一つ又は複数の部材を含むことができる。
【０１１１】
処理部７０２は、一般的に装置７００の全体的操作を制御し、例えば、表示、電話の呼び出し、データ通信、カメラ操作及び記録操作に関わる操作を制御する。処理部７０２は、上記方法の全部又は一部のステップを完成するために、コマンドを実行するための一つ又は複数のプロセッサ７２０を含むことができる。なお、処理部７０２は、その他の部材とのインタラクションの便宜上、一つ又は複数のモジュールを含むことができる。例えば、処理部７０２は、マルチメディア部７０８とのインタラクションの便宜上、マルチメディアモジュールを含むことができる。
【０１１２】
メモリ７０４は、様々な種類のデータを記憶するように構成されて、装置７００における操作をサポートする。これらのデータの実例としては、装置７００において操作される如何なるアプリケーション又は方法のコマンド、連絡先データ、電話帳データ、メッセージ、画像、ビデオなどを含む。メモリ７０４は、如何なる種類の揮発性又は不揮発性メモリ又はそれらの組み合わせにより実現することができる。例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクであってもよい。
【０１１３】
電源部７０６は、装置７００の様々な部材のために電力を提供する。電源部７０６は、電源管理システム、一つ又は複数の電源、及び装置７００に対する電力の生成、管理及び供給に関連する他の部材を含むことができる。
【０１１４】
マルチメディア部７０８は、前記装置７００とユーザーの間で出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、スクリーンはタッチパネルに実現されて、ユーザーからの入力信号を受信することができる。タッチパネルは、一つ又は複数のタッチセンサを含むことで、タッチ、スライド及びタッチパネルにおけるジェスチャーを感知する。前記タッチセンサは、タッチ又はスライド動作の境界を感知するとともに、前記タッチ又はスライド動作に関わる持続時間及び圧力も検出することができる。一部の実施例において、マルチメディア部７０８は、フロントカメラ及び／又はバックカメラを含む。装置７００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム性能を有してもよい。
【０１１５】
オーディオ部７１０は、オーディオ信号を出力及び／又は入力するように構成される。例えば、オーディオ部７１０は、マイクロフォン（ＭＩＣ）を含み、装置７００が操作モードである場合、例えば、呼び出しモード、記録モード、音声認識モードである場合、マイクロフォンは外部のオーディオ信号を受信するように構成される。受信されたオーディオ信号は、さらにメモリ７０４に記憶され、又は通信部７１６を介して送信される。一部の実施例において、オーディオ部７１０は、さらにオーディオ信号を出力するスピーカーを含む。
【０１１６】
Ｉ／Ｏインターフェース７１２は、処理部７０２と周辺インターフェースモジュールの間でインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるが、それらに限定されない。
【０１１７】
センサ部７１４は、一つ又は複数のセンサを含み、装置７００のために各方面の状態評価を提供する。例えば、センサ部７１４は、装置７００のオン／オフ状態、例えば、装置７００のディスプレイ及びキーパッドなどの部材の相対的位置決めを検出することができ、センサ部７１４は、さらに、装置７００又は装置７００の一つの部材の位置変化、ユーザーと装置７００との接触の有無、装置７００の方向および位置又は加速／減速、並び装置７００の温度変化を検出することができる。センサ部７１４は、近接センサを含み、如何なる物理的接触がない場合、近傍物体の存在を検出するように構成されることができる。センサ部７１４は、さらに、例えば、ＣＭＯＳ又はＣＣＤイメージセンサなどの、イメージングアプリケーションに用いられる光学センサを含むことができる。一部の実施例において、当該センサ部７１４は、さらに、加速度センサ、ジャイロセンサ、磁気センサ、圧力センサ又は温度センサを含むことができる。
【０１１８】
通信部７１６は、装置７００と他の装置との有線又は無線方式による通信が便利になるように構成される。装置７００は、通信標準に基づく無線ネットワーク、例えば、Ｗｉ−Ｆｉ、２Ｇ又は３Ｇ、又はそれらの組み合わせにアクセスすることができる。一例示的な実施例において、通信部７１６は、放送チャネルを介して外部放送管理システムからの放送信号又は放送関連情報を受信する。一例示的な実施例において、前記通信部７１６は、短距離通信を促進するために、さらに近距離無線通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）（登録商標）及びその他の技術に基づいて実現することができる。
【０１１９】
一例示的な実施例において、装置７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【０１２０】
一例示的な実施例において、さらに、コマンドを含む非一時的なコンピュータ読み取り可能な記憶媒体、例えば、コマンドを含むメモリ７０４を提供する。上記コマンドが装置７００のプロセッサ７２０により実行されることで、上記の方法を実行することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１２１】
非一時的なコンピュータ読み取り可能な記憶媒体は、前記記憶媒体におけるコマンドが装置７００のプロセッサにより実行される場合、装置７００に図１から図３のいずれかに示される指紋入力ガイダンス方法を実行させることができる。
【０１２２】
当業者であれば、明細書を考慮し、ここに開示された発明を実践した上で、本発明の他の実施態様を容易に想到できる。本願は、本発明のすべての変形、用途又は適応的な変化を含むことを意図しており、これらの変形、用途又は適応的な変化は本発明の一般的な原理に準じており、本発明に開示されていない当該技術分野における一般的な知識又は慣用の技術的手段を含む。明細書と実施例は、例示的なものに過ぎず、本発明の実際の範囲と宗旨は、添付した特許請求の範囲によって決められる。
【０１２３】
本発明は、上記の説明及び図面に示された正確な構造に限定されることなく、その要旨を逸脱しない範囲内で様々な補正や変更を行うことができる。本発明の範囲は、添付した特許請求の範囲のみによって制限される。
【図１】
0006408692.tif 000002
【図２】
0006408692.tif 000003
【図３】
0006408692.tif 000004
【図４】
0006408692.tif 000005
【図５】
0006408692.tif 000006
【図６】
0006408692.tif 000007
【図７】
0006408692.tif 000008